(57)【要約】      （修正有）【課題】駆動輪を偏芯車輪とし、従来の水平走行の動作に波状運動を加え、補助輪が磨耗がした時においての衝撃緩衝と無人走行時においての周囲への安全性が保てるバッテリーカーの提供。【解決手段】バッテリーカーは、硬貨投入口６にお金を入れると、スイッチが入り前進走行する。前進走行時にバッテリーカー７前部が小さく上下に動きながら走行することで波状運動をすると共に進行方向に対しての速度変化が加わる。ハンドル５を離した場合は無人周遊方向９へ自然とハンドル５が回り、無人周遊円弧軌跡８を描きながら周遊する。乗降時やハンドル５を左右に回して曲がる時は、緩衝機構を設けた補助輪１４により衝撃を吸収し、幼児が衝撃に驚かずに操作を行うことができる。無人乗車時には無人周遊円弧軌跡８に沿い一定の円周上を周遊させることにより人や施設内什器類等との衝突等の危険を減少させる。【選択図】図９
0003111394.tif 000002
【実用新案登録請求の範囲】
【請求項１】
従来より遊戯用小型乗り物のバッテリーカーは基本的に三輪車であるが、平行バランスが崩れた時において均衡をとる為に車体フレーム左側前部に補助輪があり、駆動輪と等しい高さで地面と接し、後輪を具備することで疑似四輪車となる。駆動部には駆動輪及び駆動装置があり、駆動部の車体フレーム固定位置を車体フレーム中心より右へ離し、駆動部内に具備している駆動輪を偏芯車輪とし、ギアードモーターより伝達部品を介しスプロケットへ回転を伝え駆動輪は波状運動にて走行する。駆動部は駆動輪が操舵輪も兼ね、駆動部上部と舵取り軸がハンドルと連結し、車体フレームよりリード角度１０度と相成り波状運動より自然法則に従い駆動部が左へ動き、後輪とホイールベースの長さに応じて円弧を左旋回して描きバッテリーカーが周遊する。補助輪は駆動輪の前部左側に設け、高さは駆動輪と均衡に車体フレームに取付けられる。キャスター取付軸をスプリング支持軸とし、スプリングハウジングと鍔との間にスプリングを取付、ダンパーを形成し、駆動輪中心支持軸を偏芯した位置に中心軸を有して波状運動を行いながら走行し、乗車時の衝撃緩衝が行われて自動周遊する遊戯用小型定置式乗り物のバッテリーカー。
【考案の詳細な説明】
【技術分野】
【０００１】  この考案は遊戯用小型定置式乗り物のバッテリーカーの動作に関する。
【背景技術】
【０００２】  従来より遊戯用小型乗り物のバッテリーカーがある。基本的に駆動輪を含めた駆動部と後輪からなる三輪車であり、バランスが崩れた時の補助輪として車体フレーム前部左側にキャスターがある。
補助輪は駆動輪と等しい高さで地面と接し、後輪を具備することで疑似四輪車となり、バッテリーカーを平行に保っている。【０００３】  駆動部には駆動輪及び駆動装置があり、駆動輪はギアードモーターの回転を伝達部品を介して駆動しており、駆動輪の中心を中心軸として回転するので駆動輪は真円を描き回転し、バッテリーカーは平行にゆっくり走行する。【０００４】  駆動部は駆動輪が操舵輪も兼ねて車体フレーム前部中心にリード角度１０度で取付られ、駆動部上部には舵取軸が直接ハンドルと連結し、駆動部が左右へ動くことで駆動輪も左右に動き操縦する。
補助輪は駆動輪の左側に設けており、駆動輪と高さの均衡を保ちながらにフレームに直ぐ取付けられている。【０００５】  硬貨を投入することで事前に設定している時間の範囲で平行にゆっくり走行する。走行中に降車した場合は、ハンドルを離した状態で動き続けてしまう為、設定している時間に満たない間は動き続け、無人走行時においての周囲への安全性の配慮が十分になされていない。
【考案の開示】
【考案が解決しようとする課題】
【０００６】  以上の技術によれば、遊戯用小型乗り物のバッテリーカーの走行は平行走行のみであり、補助輪は、駆動輪と等しい高さで地面と接している為、補助輪が磨耗すると、駆動輪との高さが不平衡となり、乗降及び操舵時にて補助輪が床に当たり衝撃が発生する。
安全上、走行速度が遅い為、乗車途中に降車してしまう場合もあり、設定している時間に満たない間は無人で走行し続け、人や施設内什器類等との衝突等が発生してしまい周囲への安全性が十分に保たれていない。
よって、この考案は駆動輪を偏芯車輪とし、従来の水平走行の動作に波状運動を加え、補助輪が磨耗がした時においての衝撃緩衝と無人走行時においての周囲への安全性が保てるバッテリーカーを課題とする。
【課題を解決するための手段】
【０００７】  第一考案は、駆動輪は駆動部１１に具備されている駆動輪中心支持軸により支持され、駆動輪中心支持軸の片端部は駆動輪スプロケット２２が連結されている。【０００８】  ギアードモーター１３の回転をモーター部スプロケット２４より伝達部品２３を介して駆動輪スプロケット２２に伝え、偏芯駆動輪３を駆動することで楕円を描き回転し、車体フレーム１２が、波状運動方向４を描きながらバッテリーカー７がゆっくりと走行する。
よって、図５に示す動きを繰り返すことで波状運動しながら走行する。【０００９】  第二考案は、補助輪１４としてのキャスター１８はキャスター取付台２５に取付けられており、キャスター取付台２５とキャスター取付軸１７が連結されている。【００１０】  キャスター取付軸１７をスプリング支持軸とし、スプリングハウジング２０と鍔２７との間にスプリング１９を取付る事により、キャスター取付軸１７がスプリング１９を支持し、車体フレーム１２と接合されているスプリングハウジング２０，鍔２７との間にダンパーを形成することで緩衝効果を持たせスプリングハウジング２０がスプリング１９の躍動部を保護する。【００１１】  第三考案は、駆動部１１の固定位置を車体フレーム１２前部中心より右へ離しリード角度１６の１０度と相成り、第一考案に伴う自然法則により駆動部１１が左へ動き、後輪１０とのホイールベースの長さに応じた半径で無人周遊方向９へ左旋回し、バッテリーカー７が周遊し続ける。
【考案の効果】
【００１２】  第一考案により、従来の駆動輪軸中心１を偏芯させた偏芯車輪３を用いる事によって波状運動４と共に前後への速度変化をもたらし、新たな動きが加わることで、遊戯用小型乗り物としての娯楽性を増す事が出来、同時にアピール性と集客性を向上させる事が出来る。【００１３】  第二考案により、補助輪１４が磨耗した場合に発生する衝撃を緩衝することが出来るようになったのと同時に補助輪１４へ荷重が掛かる場合にての衝撃も軽減することにより、幼児が驚かずに乗車して遊ぶ事ができ、衝撃が無く乗降できることで安心して乗る事が出来る。【００１４】  第三考案にて第一考案の効果と駆動部１１が接合している車体フレーム１２とのリード角度１６の１０度と相成り、ハンドル５を離したときにバッテリーカー７を進行方向に対して無人周遊方向９へ左旋回させる事ができるようになった為、無人走行時には無人周遊円弧軌跡８に沿い周遊し、障害物との衝突が最小限となり安全性が向上した。
【考案を実施するための最良の形態】
【００１５】（イ）本考案の遊戯用小型乗り物のバッテリーカーは、硬貨投入口６にお金を入れると、スイッチが入り前進走行する。
（ロ）図５に示すように前進走行時にバッテリーカー７前部が小さく上下に動きながら走行することで波状運動をすると共に進行方向に対しての速度変化が加わる。
（ハ）ハンドル５を保持し操舵する。ハンドル５を離した場合は無人周遊方向９へ自然とハンドル５が回り、無人周遊円弧軌跡８を描きながら周遊する。
（ニ）乗降時やハンドル５を左右に回して曲がる時は、緩衝機構を設けた補助輪１４により衝撃を吸収し、幼児が衝撃に驚かずに操作を行うことができる。
したがって、従来のバッテリーカーとは違う動きで子供を楽しませることが可能になり、安心して幼児を乗車させることができるようになった。
無人乗車時には無人周遊円弧軌跡８に沿い一定の円周上を周遊させることにより人や施設内什器類等との衝突等の危険を減少させることができるので、安全性が向上した。【００１６】「他の実施形態」
（イ）図１の実施形態では、駆動輪の軸芯を駆動輪の中心から偏芯であるが、他の実施形態では、駆動輪の中心からの偏芯距離を動きに合わせて変更してもよい。
（ロ）図３の外装はパトカーであるが、用途に合わせた外装に変更してもよい。
（ハ）前進走行だけではなく、後進走行も可能にしてもよい。
【図面の簡単な説明】
【００１７】
【図１】    バッテリーカー駆動輪の偏芯機構側面図
【図２】    バッテリーカー上方斜視図
【図３】    バッテリーカー偏芯走行運用効果図
【図４】    バッテリーカー円周遊効果図
【図５】    バッテリーカー波状運動図
【図６】    バッテリーカー車体フレーム側面図
【図７】    バッテリーカー舵取軸リード角表記図
【図８】    バッテリーカー駆動部図
【図９】    バッテリーカー周遊上方図
【図１０】    バッテリーカー補助輪側面図
【図１１】    バッテリーカー緩衝部図
【符号の説明】
【００１８】１    従来の駆動輪軸中心    ２    駆動輪偏芯部
３    偏芯駆動輪            ４    波状運動方向
５    ハンドル              ６    硬貨投入口
７    バッテリーカー        ８    無人周遊円弧軌跡
９    無人周遊方向          １０  後輪
１１  駆動部                １２  車体フレーム
１３  ギアードモーター      １４  補助輪
１５  舵取軸                １６  リード角
１７  キャスター取付軸      １８  キャスター
１９  スプリング            ２０  スプリングハウジング
２１  躍動方向              ２２  駆動輪スプロケット
２３  伝達部品              ２４  モーター部スプロケット
２５  キャスター取付台      ２６  キャスター固定ロックピン
２７  鍔
【図１】
0003111394.tif 000003
【図２】
0003111394.tif 000004
【図３】
0003111394.tif 000005
【図４】
0003111394.tif 000006
【図５】
0003111394.tif 000007
【図６】
0003111394.tif 000008
【図７】
0003111394.tif 000009
【図８】
0003111394.tif 000010
【図９】
0003111394.tif 000011
【図１０】
0003111394.tif 000012
【図１１】
0003111394.tif 000013
【手続補正書】
【提出日】平成17年3月8日(2005.3.8)
【手続補正１】
【補正対象書類名】実用新案登録請求の範囲
【補正対象項目名】請求項１
【補正方法】変更
【補正の内容】
【請求項１】
遊戯用小型乗り物のバッテリーカーにおいて、
（１）駆動輪中心支持軸を偏芯した位置に中心軸を有して波状運動を行いながら走行する。
（２）補助輪のキャスターへ緩衝装置を設けて衝撃を吸収する。
（３）偏芯軸によりホイールベースの長さに応じた半径で左へ自動周遊する。
以上からなるバッテリーカー。